(57)【要約】【課題】熱交換器の配管途中に取り付ける２方弁の冷媒流音を低減させて、静かな運転が可能な空気調和機の室内機を提供する。【解決手段】本空気調和機の室内機は、熱交換器９の冷媒管の途中で熱交換器９側面部に再熱除湿用の２方弁１２を設け、この２方弁１２の入口側管１２ｃを熱交換器９の冷媒直管９ａに直接接続するとともに、出口側管１２ｄを熱交換器９に取り付けた分流管９ｂに直接接続する。【選択図】  図４
2007187395.tif 000002
【特許請求の範囲】
【請求項１】
吸込口および吹出口を備え、前面パネルおよび後板とから構成されるユニット本体と、このユニット本体内に配置される熱交換器と、送風機と、熱交換器の冷媒管の途中に再熱除湿用の２方弁を備えた空気調和機において、熱交換器側面部に前記２方弁を配置し、かつこの２方弁の入口側管を熱交換器の冷媒直管に直接接続するとともに、出口側管を熱交換器に取り付けた分流管に直接接続したことを特徴とする空気調和機の室内機。
【請求項２】
前記熱交換器の前面側に電気集塵器を配置し、この電気集塵器は、集塵部の側部に電気集塵器用電源部を配置するとともに、この電源部を前記２方弁の前面側に配置したことを特徴とする請求項１に記載の空気調和機の室内機。
【発明の詳細な説明】
【技術分野】
【０００１】
本発明は空気調和機の室内機に係り、特に熱交換器の配管途中に取り付ける２方弁の配管取り付け構造を改良した空気調和機の室内機に関する。
【背景技術】
【０００２】
従来の空調機の室内機において、図６に示すように、再熱除湿用の２方弁２１を搭載する場合、室内熱交換器に取り付けた２方弁２１は、冷媒の直管状の入口側管２１ａが熱交換器のＵ字継手管２２の曲管部２２ａに、マフラー２１ｂを備えた長い曲管状継手管２１ｃがＵ字分流継手管２３の直管部２３ａに各々接続されている（例えば、特許文献１）。
【０００３】
しかしながら、従来の取り付け構造は、次のような欠点がある。  
（１）熱交換器の下方に設けられるドレンパンから、２方弁および曲管状継手管がはみ出た場合、ドレン水を受ける２方弁カバー等の構造物あるいは結露防止の断熱手段が必要となり、また、ドレンパンを大きくした場合は、筐体が大型化してしまい、さらに、部品点数が増加するためコスト高になる。  
（２）輸送時の落下等の衝撃による２方弁取付部の変形を防止するため、タイラップによる固定等何らかの固定手段が必要となるため、コスト高になる。  
（３）２方弁をエアコン本体内の設置可能な位置まで、継手管により引回すことにより、２方弁流入部で、内部を通過する冷媒の流れに乱れが発生し、冷媒通過音が出やすくなる。
【０００４】
また、図７に示すように、２方弁３１および曲管状継手管３２を熱交換器３３前面に配置した場合、２方弁３１、長い曲管状継手管３２等が邪魔になり、配管部前面に電気集塵器電源等を設置できなくなり、また、風量が減少する。
【特許文献１】特開２００３−１４８７５６号
【発明の開示】
【発明が解決しようとする課題】
【０００５】
本発明は上述した事情を考慮してなされたもので、熱交換器の配管途中に取り付ける２方弁の冷媒流音を低減させて、静かな運転が可能な空調機の室内機を提供することを目的とする。
【課題を解決するための手段】
【０００６】
上述した目的を達成するため、本発明に係る空気調和機の室内機は、吸込口および吹出口を備え、前面パネルおよび後板とから構成されるユニット本体と、このユニット本体内に配置される熱交換器と、送風機と、熱交換器の冷媒管の途中に再熱除湿用の２方弁を備えた空気調和機において、熱交換器側面部に前記２方弁を配置し、かつこの２方弁の入口側管を熱交換器の冷媒直管に直接接続するとともに、出口側管を熱交換器に取付けた分流管に直接接続したことを特徴とする。
【発明の効果】
【０００７】
本発明に係る空気調和機の室内機によれば、熱交換器の配管途中に取り付ける２方弁の冷媒流音を低減させて、静かな運転が可能な空気調和機の室内機を提供することができる。
【発明を実施するための最良の形態】
【０００８】
以下、本発明の一実施形態に係る空気調和機の室内機について添付図面を参照して説明する。
【０００９】
図１は本発明の一実施形態に係る空気調和機の室内機を分解して示す斜視図、図２はその前面パネルを除去して示す側面図、図３はその配管取り付け部分を示す斜視図である。
【００１０】
図１乃至図３に示すように、本実施形態の空気調和機の室内ユニット１は筐体を構成するユニット本体２を備え、このユニット本体２は室内ユニット１前面側を覆う前面パネル３と室内ユニットの機能部品が取り付けられる後板４とから構成される。
【００１１】
前面パネル３の前面には板状の吸込パネル３ａが開閉可能に設けられ、この吸込パネル３ａの下端部及び上端部には前面吸込口３ｂが開口され、前面パネル３の上面には上面グリル５が嵌め込まれた上部吸込口３ｃが開口され、前面パネル３の下部には吹出口３ｅが開口される。
【００１２】
ユニット本体２内の後板４には、逆Ｖ字状に形成された熱交換器９が配置される。この熱交換器９は、下部吸込口３ｂと上部吸込口３ｃから吸い込まれた被空調空気が通過する前側熱交換器９Ａと、主として上部吸込口３ｃから吸い込まれた被空調空気が通過する後側熱交換器９Ｂから構成される。
【００１３】
さらに、後板には、前記熱交換器９と前記吹出口３ｅ間に送風路１０が形成され、この送風路１０内の前記熱交換器９の下方には、横流ファンで構成する送風機(図示せず)が配置されると共に、送風機に連結するモータ１１が熱交換器９側部に配置されている。
【００１４】
前記前側熱交換器９Ａの前面吸込側には、前記吸込パネル３ａに対向して電気集塵器６が配置される。この電気集塵器６は、側部に電気集塵器電源部７が設けられている。
【００１５】
また吸込パネル３ａ下方と吹出口３ｅとの間の前面パネル３には表示部８が設けられている。
【００１６】
また、前記電気集塵器電源部７の略後方で、熱交換器９の一側面部例えば図中右側面部には、再熱除湿用の２方弁１２が取り付けられる。
【００１７】
なお、後板４の一側部には、２方弁１２に隣接して、室内機用の電気部品箱１３が配置されている。
【００１８】
このように熱交換器９横の配管スペースの前面に、通風を妨げる遮蔽部材である電気集塵器電源部を配置することで、熱交換器９前面の通風路を拡大でき、熱交換器９への風量低下を防ぎ、熱交換効率の向上を図ることができる。
【００１９】
図４及び図５に示すように、２方弁１２はコイル１２ａと、このコイル１２ａにより昇降され何れも図示しない弁体を備えた弁操作杆が挿入される弁本体１２ｂと、この弁本体１２ｂから水平に延びる直管状の入口側管１２ｃと、入口側管１２ｃと直交するように２方弁本体１２ｂから下方に延びる直管状の出口側管２ｄからなっている。
【００２０】
２方弁１２の熱交換器９への取り付けは、入口側管１２ｃを熱交換器９の直管９ａに直接接続するとともに、出口側管２ｄを熱交換器９に取り付けたＵ字形状の分流管９ｂに直接接続される。
【００２１】
なお、再熱除湿用の２方弁１２は、電磁絞り弁の機能を有し、開放時には流れる冷媒を絞ることなく、実線矢印で示すように後側熱交換器９Ｂを流れ、さらに、分流管９ｂで分流されて、前側熱交換器９Ａの上部熱交換器部９Ａ１と下部熱交換器部９Ａ２に流れ、前側熱交換器９Ａ及び後側熱交換器９Ｂは、冷房運転時には蒸発器として機能し、暖房運転時には加熱器として機能する。また、再熱除湿用の２方弁１２が閉じられる除湿運転時には、冷媒は絞られ、上部熱交換器部９Ａ１と後側熱交換器９Ｂは加熱器として機能し、下部熱交換器部９Ａ２は冷却器として機能する。
【００２２】
上記のような２方弁１２の取り付け構造にすることにより、従来の２方弁が入口側管及び出口側管を熱交換器のＵ字管に取り付けるとともに、入口側管をＵ字管の曲管部に、出口側管を長い曲管状継手管を介してＵ字管の直管部に接続するのとは異なり、本実施形態は、（１）除湿運転時、直管から直接２方弁の側面側から弁体に冷媒が流れるため、冷媒が管の曲がり及び接続部による冷媒の乱れが生じず、２方弁に冷媒を流すことができるため、別個のマフラーを取り付けることなく、除湿運転時の冷媒流動音を低減させることができる。また、（２）熱交換器の直管に連結するため、熱交換器横の狭いスペースに２方弁の設置が可能となり、より小さいユニット本体に２方弁の搭載が可能となる。さらに、（３）２方弁を従来と同等の大きさのドレンパン上方に設置することが可能となるため、２方弁に付着した結露水をドレンパンで回収可能となり、２方弁を熱交換器の前面に配置した場合風量低下の原因となる熱交換器前面に配置する２方弁カバー等の設置が不要となる。また、（４）２方弁の出口側を、強度のある分流パイプに接続することにより、輸送時の落下等の衝撃等による変形を防止することができる。さらに、（５）熱交換器横の配管スペース前面に電気集塵器電源部等を設置することが可能となり、風量低下を防ぐことができる。
【００２３】
上記のように本実施形態の空気調和機の室内機によれば、小型で電気集塵器電源部等の設置が容易かつ、静かで安価な空気調和機の室内機が実現される。
【図面の簡単な説明】
【００２４】
【図１】本発明の一実施形態に係る空気調和機の室内機の分解斜視図。
【図２】本発明の一実施形態に係る空気調和機の室内機の前面パネルを除去して示す側面図。
【図３】本発明の一実施形態に係る空気調和機の室内機に用いる２方弁の取り付け部分を示す斜視図。
【図４】本発明の一実施形態に係る空気調和機の室内機に用いる２方弁の取り付け部分を拡大して示す斜視図。
【図５】本発明の一実施形態に係る空気調和機の室内機に用いる２方弁の取り付け状態を示す概念図。
【図６】従来の空気調和機の室内機に用いる２方弁の取り付け状態を示す概念図。
【図７】従来の空気調和機の室内機に用いる２方弁の取り付け部分を示す斜視図。
【符号の説明】
【００２５】
１…空気調和機の室内ユニット、２…ユニット本体、３…前面パネル、３ａ…吸込パネル、３ｂ…下部吸込口、３ｃ…上部吸込口、３ｅ…吹出口、４…後板、５…上面グリル、６…電気集塵器、７…気集塵器電源部、９…熱交換器、９Ａ…前側熱交換器、９Ｂ…後側熱交換器、９ａ…直管、９ｂ…分流管、１０…送風路、１１…モータ、１２…２方弁、１２ａ…コイル、１２ｃ…入口側管、１２ｄ…出口側管、１３…電気部品箱。
【図１】
2007187395.tif 000003
【図２】
2007187395.tif 000004
【図３】
2007187395.tif 000005
【図４】
2007187395.tif 000006
【図５】
2007187395.tif 000007
【図６】
2007187395.tif 000008
【図７】
2007187395.tif 000009